(57)【要約】【課題】使用後に箱体を簡易かつ確実に廃棄しやすい形状にできる衛生用品収納体を提供する。【解決手段】【請求項１】  直六面体の外箱１の側面３０に、他の面との間の稜線１３，２３，４３に沿って裂開用ミシン目線３１を環状となるように配するともに、この外箱１と内部の衛生用品束５の間に立設壁部６を配した衛生用品収納体Ｘ１により解決される。【選択図】図１
2010052778.tif 000002
【特許請求の範囲】
【請求項１】
上面及び底面とこれらに連接する一対の側面とこれら各面の端縁から延在する端面片が折り畳まれかつ接合面において接着されて形成された端面とで構成される直六面体の外箱と、
前記側面と他の面との間の稜線上又は側面における前記稜線に沿う位置に形成された裂開用ミシン目線によって環状に囲まれた開口形成部と、
前記外箱内に収められた、複数の衛生用品からなる衛生用品束と、
前記外箱及び衛生用品束の間に位置され、かつ前記外箱の側面及び端面の少なくとも一方に対して対面する立設壁部を有して、前記外箱の上下方向の強度を高める補強材と、を備えることを特徴とする衛生用品収納体。
【請求項２】
前記立設壁部は、前記外箱内において、各側面に形成された各開口形成部同士のみに接してこれら連結するように架橋されている請求項１記載の衛生用品収納体。
【請求項３】
前記補強部材は、立設壁部のほかに、前記外箱内において、各側面に形成された各開口形成部同士のみに接してこれら連結するように架橋されかつ外箱の底面に平行な下側部を有する、請求項２記載の衛生用品収納体。
【請求項４】
前記立設壁部は、前記外箱及び衛生用品束に対して自由な状態であり、かつ、外箱の側面及び端面のそれぞれに平行な面が連接されて環状をなしている請求項１記載の衛生用品収納体。
【請求項５】
衛生用品束が、複数の衛生薄葉紙が折り畳まれ重層されたものであり、
外箱の上面に裂開用ミシン目線が環状に配された衛生薄葉紙取出口形成部を有し
使用時に取出口から衛生薄葉紙の一枚を取り出すと、隣接して積層されている他の一枚の一部が取出口から露出されるように構成されている、請求項１〜５の何れか１項に記載の衛生用品収納体。
【発明の詳細な説明】
【技術分野】
【０００１】
本発明は、ティシュペーパーや化粧用パフ等の使い捨ての衛生用品を複数収納した衛生用品収納体に関する。
【背景技術】
【０００２】
ティシュペーパーや化粧用パフ（化粧用コットンとも言われる）などの使い捨ての衛生用品は、複数枚をまとめて箱体に収納して市販に供されている。
このような衛生用品の収納体に用いられる箱体は、カートンとも呼ばれ、上面及び底面とこれらに連接する一対の側面と前記各面の端縁から延在する端面片が折り畳まれ接合面において接着されて形成された端面とで構成される直六面体形状をなしている。
【０００３】
そして、このような収納体においては、内部の衛生用品を使い切った後に残る箱体を簡易に破棄しやすい偏平形状にできるようにするために、箱解体手段が設けられるのが一般的となっている。
この箱解体手段は、下記特許文献１〜５に開示されるように、端面に指入れ用のミシン目線及びこれに連接する開封用ミシン目線を配し、これらミシン目線の裂開によって端面片を開いて箱体を角筒状に解体するようにしたものである。
角筒状にすることで、箱体が上下に潰しやすくなり、簡易に破棄しやすい上面と底面とが接する偏平形状にすることができるようになる。
【０００４】
なお、ミシン目線の配し方については、各特許文献によって異なるように、数種のバリエーションが知られているが、原理としては、端面片に接合を解いて角筒状にするといった点で共通する。
しかしながら、この箱解体手段においては、角筒状にするにあたって、上面端面片を開く操作、底面端面片を開く操作、２つある側面端面片のそれぞれを開く操作など多くの煩雑な操作を要する。
また、端面片の接着が強い場合等には、側面端面片と上面端面片（又は底面端面片）が分離せずに、上面端面片（又は底面端面片）が破れて角筒状にならない場合があった。
【特許文献１】特開２００７−１２６１６０
【特許文献２】特開２００７−４５５２５
【特許文献３】特開２００７−９９３９２
【特許文献４】特開２００７−５５６８３
【特許文献５】特開２００６−３４１９２５
【特許文献６】特開２００５−２２５５６４
【特許文献７】特開２００７−３１４２０７
【特許文献８】特開２００５−２３１６５１
【発明の開示】
【発明が解決しようとする課題】
【０００５】
そこで、本発明は、より簡易、使用後に確実に箱体を廃棄しやすい形状にでき、さらには利便性が高く幅広い使用形態に対応できる衛生用品収納体を提供することを課題とする。
【課題を解決するための手段】
【０００６】
上記課題を解決した本発明は次記のとおりである。
＜請求項１記載の発明＞
上面及び底面とこれらに連接する一対の側面とこれら各面の端縁から延在する端面片が折り畳まれかつ接合面において接着されて形成された端面とで構成される直六面体の外箱と、
前記側面と他の面との間の稜線上又は側面における前記稜線に沿う位置に形成された裂開用ミシン目線によって環状に囲まれた開口形成部と、
前記外箱内に収められた、複数の衛生用品からなる衛生用品束と、
前記外箱及び衛生用品束の間に位置され、かつ前記外箱の側面及び端面の少なくとも一方に対して対面する立設壁部を有して、前記外箱の上下方向の強度を高める補強材と、を備えることを特徴とする衛生用品収納体。
【０００７】
＜請求項２記載の発明＞
前記立設壁部は、前記外箱内において、各側面に形成された各開口形成部同士のみに接してこれら連結するように架橋されている請求項１記載の衛生用品収納体。
【０００８】
＜請求項３記載の発明＞
前記補強部材は、立設壁部のほかに、前記外箱内において、各側面に形成された各開口形成部同士のみに接してこれら連結するように架橋されかつ外箱の底面に平行な下側部を有する、請求項２記載の衛生用品収納体。
【０００９】
＜請求項４記載の発明＞
前記立設壁部は、前記外箱及び衛生用品束に対して自由な状態であり、かつ、外箱の側面及び端面のそれぞれに平行な面が連接されて環状をなしている請求項１記載の衛生用品収納体。
【００１０】
＜請求項５記載の発明＞
衛生用品束が、複数の衛生薄葉紙が折り畳まれ重層されたものであり、
外箱の上面に裂開用ミシン目線が環状に配された衛生薄葉紙取出口形成部を有し
使用時に取出口から衛生薄葉紙の一枚を取り出すと、隣接して積層されている他の一枚の一部が取出口から露出されるように構成されている、請求項１〜５の何れか１項に記載の衛生用品収納体。
【発明の効果】
【００１１】
本発明によれば、より簡易、使用後に確実に箱体を廃棄しやすい形状にでき、さらには利便性が高く幅広い使用形態に対応できる衛生用品収納体が提供される。
【発明を実施するための最良の形態】
【００１２】
次いで、本発明の実施の形態を図面を参照しながら以下に詳述する。
『第１の実施の形態』
まず、第１の実施の形態を図１〜６を参照しながら詳述する。この第１の実施の形態Ｘ１は、本発明の衛生用品収納体がポップアップ式のティシュペーパー製品である例である。なお、図１は、このティシュペーパー製品の斜視図、図２は、その端面構造を説明するための斜視図、図３は、使用状態の斜視図、図４は、ティシュペーパー束の説明図、図５は、外箱解体時の斜視図である。
【００１３】
〔外箱の構造〕
このティシュペーパー製品Ｘ１における外箱１は、特に図１に示すように、上面１０にティシュペーパーの取出口形成部である環状の裂開用ミシン目線１１を有する紙箱１Ａと、前記裂開用ミシン目線１１により囲まれる範囲１１ａを紙箱内側から覆うシート材１Ｂとで構成されている。
【００１４】
外箱１の外形をなす紙箱１Ａは、一対の平行な長手縁とこれらよりも短い一対の平行な短手縁で構成される長方形の上面１０及び底面２０と、これらに連接する一対の側面３０，３０及び端面４０，４０とからなる直六面体形状をなす。
【００１５】
前記端面４０は、特に図２から理解されるように、上面１０、底面２０及び側面３０の各面の長手方向両側端縁からこれらに連接して延在する上面端面片１０Ｅ、底面端面片２０Ｅ、側面端面片３０Ｅ，３０Ｅが、前記側面端面片３０Ｅ，３０Ｅを箱内面側に折り返した後、これに重ねて上面側端面片１０Ｅと底面側端面片２０Ｅとを折り曲げられ、それら各片の接合部分がホットメルト接着材等により接着されて形成されている。
【００１６】
他方、外箱１（紙箱１Ａ）の側面３０には、特徴的に、側面３０，３０と他の面（上面１０、底面２０及び端面４０，４０）との間の稜線１３，２３，４３に沿って、裂開用ミシン目線３１，３１が配され、環状矩形の開口形成部３１ａ，３１ａを形成している。なお、この裂開用ミシン目線は、前記稜線上に配することもできるが、稜線上にある場合には、意図しない裂開が生じやすくなるため、上述のように側面において稜線に沿って配するのが好ましい。
【００１７】
この場合における裂開用ミシン目線３１の好適な位置を例示すると、上面１０と底面２０との間の稜線１３，２３から７〜１３ｍｍ離間した位置、端面４０との間の稜線４３からは１２〜１７ｍｍ離間した位置である。
【００１８】
また、この側面３０，３０の裂開用ミシン目線３１，３１は、好適には、カット部が３〜５ｍｍ、タイ部が１〜３ｍｍであるのが望ましい。意図せず裂開し難く、また、使用時には簡易に裂開することができる。
【００１９】
このように本形態の外箱１は、この裂開用ミシン目線３１，３１を裂開して環状部分が分離除去されると、外箱１の上面１０を広範に支える側面３０が矩形に大きく刳り抜かれて開口部が形成され外箱１の上下方向の強度が低下され、特に中央部において潰れやすくなる。
なお、本形態においては、裂開用ミシン目線３１，３１は好適な例として矩形としているが、かならずしも矩形である必要はない。
【００２０】
また、図示の本形態においては、より容易に裂開用ミシン目線の裂開ができるように、底部２０との間の稜線２３に沿う位置の裂開用ミシン目線の中央部にこれに繋がるようにして円弧形状に裂開ミシン目線３２が配されている。ミシン目線の裂開をするにあたり、まず当該円弧形状部分（以下、指入れ部３２ａともいう）に指を押し入れることで、前記裂開ミシン目線３１の裂開が容易になる。
【００２１】
ここで、外箱１（紙箱１Ａ）の大きさは、内包される衛生用品の束、すなわちティシュペーパーの束より若干大きく、概ね束の外形よりも１〜３０ｍｍ程度大きい内形とされる。一般的なこの種の製品では、概ね長手縁が１１０〜３２０ｍｍ、短手縁が７０〜２００ｍｍ、高さが４０〜１５０ｍｍ程度である。
【００２２】
なお、紙箱１Ａの素材としては、例えば、バージンパルプ、古紙パルプ等の各種のパルプを主原料とする既知の紙素材が採用できる。好適には、紙箱の素材は、米坪２５０〜５００ｇ／ｍ2、好適には３５０〜４００ｇ／ｍ2のコートボール紙である。
【００２３】
他方、前記上面１０に形成される取出口形成部１１ａにかかる裂開ミシン目線１１は環状をなし、既知の方法及びカットタイ比で形成される。このミシン目線１１により囲まれる範囲１１ａの具体的形状については必ずしも限定されない。ただし、この種の製品においては、図示例の如く、紙箱上面の長手方向に沿う方向を長辺とする略楕円形状又は矩形が代表的であり、取出し性、利便性が高いことから、本発明においても多くの既存の製造ラインで製造可能なこの形状が好適である。
【００２４】
他方、外箱１の構成部材である前記シート材１Ｂは、好ましく樹脂製フィルムであり、前記上面１０に形成された裂開用ミシン目線１１により囲まれる範囲１１ａのサイズより大きく、例えば、矩形や楕円形であり、紙箱上面の内面側において、特に環状ミシン目線の切り剥がしに影響がないように、環状ミシン目線１１の外側で接着されている。
この樹脂性フィルムの好適な素材は、ポリエチレンフィルムであるが、ポリプロピレン、ポリエステルなども例示できる。なお、シート材としては紙素材も例示できる。
樹脂製フィルムとするならば、その厚みは、１０〜２００μｍが適する。１０μｍ未満では、強度的に不足し、ティシュペーパーの取り出し時において裂けあるいは破断の確率が高くなる。逆に、２００μｍを超えると、強度の問題はないものの、取り出し難くなり、またコスト高となる。
【００２５】
他方、このシート材１Ｂには、スリットＳが形成されている。このスリットＳはミシン目線１１により囲まれる範囲１１ａに位置されている。
従って、前記取出口形成部にかかるミシン目線１１により囲まれる範囲１１ａを切り剥がした後には、紙箱上面１０に取出口１２が形成され、図３に示されるが如く、前記シート材１Ｂ及びそれに形成されたスリットＳが取出口１２を介して露出される。束として収納されているティシュペーパーは、このスリットＳを介して取出口１２から一枚ずつ取り出される。
なお、前記スリットＳの長さは、適宜の長さとすることができ、既知の環状ミシン目線との大きさの関係で適するとされる長さが採用できる。
【００２６】
〔ティシュペーパーの束〕
他方、本発明の衛生用品束であるティシュペーパーの束５は、図４に示すように、ティシュペーパー５０，５０…が折り畳まれ、積層されてなるものである。より好ましくは、特に図４に示されるように、方形のティシュペーパー５０，５０…が実質的に二つ折りされ、その折り返し片の縁５０ｅが上下に隣接する薄葉紙の折り返し内面に位置するようにして、互い違いに重なり合いつつ積層されている構造をなす。なお、ここで実質的にとは、製造上の形成される縁部の若干の折り返しを許容する意味である。
【００２７】
本積層構造のティシュペーパーの束５は、図示例の如く最上位に位置する一枚の折り返し片を上方に引き上げると、その直下で隣接する他の一枚の折り返し片が上方に引きずられて持ち上げられる。
【００２８】
本形態の収納体Ｘ１では、このティシュペーパーの束５は、その最上面が前述の外箱の上面側に向かうようにして収納されており、前記取出口１２のスリットＳを介して最初の一枚（最上面に位置する一枚）が引き出されたときに、その下方に位置する他の一枚の一部が露出される。そして、この露出部分は、スリットＳによって挟持されてあその一部露出状態が維持される。
【００２９】
なお、本発明においては、ティシュペーパー５０の具体的な構成、例えばプライ数や、原料パルプについては特に限定されない。既知のものが問題なく利用できる。
また、本積層構造のティシュペーパーの束５は、既知のインターフォルダ設備により製造可能である。
【００３０】
〔補強部材〕
他方、本形態のティシュペーパー製品Ｘ１においては、特に、図５から理解できるように、特徴的に外箱１の内部に補強部材６を有する。本形態の補強部材６は、外箱１の端面４０に対して対面する立設壁部６０を有し、この立設壁部６０が、外箱１内の特に前記ティシュペーパー束５と端面４０との間に位置している。  また、補強部材６は、接着部６１等を介して前記各側面３０，３０に形成された各裂開用ミシン目線３１，３１で囲まれる開口形成部３１ａ，３１ａにのみに接着されて、各側面の開口形成部３１ａ，３１ａを連結するように架橋されている。
なお、図示の形態では、両端面４０，４０に対応して立設壁部６０，６０が配されているが、一方端面側のみにあってもよい。
【００３１】
本形態の製品Ｘ１では、この補強部材６の存在により、外箱１の特に上下方向に圧力がかかって上面１０及び底面２０が近接するように撓んだときには、前記立設壁部６０の上側縁及び底側縁に接して支持し、所定長さ以上に撓むことがない。このように、本形態の製品では、補強部材の存在によって、未使用時あるいは使用時における上下方向の潰れにたいする強度が高められており、従って、上述のとおり、側面３０に大きく環状に裂開用ミシン目線が３１が配されていても、これが意図せず裂開することが防止されている。
【００３２】
そして、かかる効果とともに、本形態の補強部材６によって、後述の使用方法例において説明するとおり、一回の操作によって外箱を解体可能な形態に変形させことが可能となる。
なお、補強部材６の素材は特に限定されないが、廃棄の点から外箱と同様に紙素材であるのが望ましい。紙素材等としては、上述の外箱と同様のコートボール紙、坪量が例示できる。
【００３３】
〔使用方法例〕
次いで、本形態の衛生用品収納体の使用方法例について説明する。
まず、特に図３に示されるように、上面１０の環状ミシン目線１１を裂開して取出口１２を形成し、スリットＳからティシュペーパー５０を取り出して使用する。
【００３４】
収納されているティシュペーパーを使い切ったならば、外箱１の一方の側面３０の円弧状にミシン目線を配した指入れ部３２に指を入れ、この側面３０の矩形環状の裂開用ミシン目線３１で囲まれる開口部形成部３１を側面３０から引き抜くように引張り、当該裂開用ミシン目線３１を裂開させてこのミシン目線で囲まれる部分を側面の他の部分から分離させ開口部を形成する。
【００３５】
このとき、本形態の収納体Ｘ１では、前記補強部材６，６における立設壁部６０，６０によって両側面３０，３０の開口形成部同士が連結されているので、対面する他方の側面における環状矩形の裂開用ミシン目線３１も同時に裂開され開口部が形成される。そして、この反対面において分離された部分は外箱内を通って、図５に示されるように、対面する開口部から補強部材６，６とともに引き抜かれる。かくして、取出口形成部にかかるミシン目線３１，３１で囲まれる範囲３１ａ，３１ａと補強部材６，６とが外箱１から分離される。
【００３６】
そして、このように分離されたのちの残った外箱１は、図からも理解されるように、側面３０，３０に環状矩形に大きく刳り抜かれた開口部３１Ａ，３１Ａが形成された状態となり、上下方向の強度が著しく低く容易に潰れる形態となる。
【００３７】
このような形状となった後には、例えば、上面１０（又は底面２０）の長手方向中央部分を押し潰すとともに、端面４０を上面１０（又は底面２０）に重なるように押し潰す。すると、外箱１の各頂点から刳り抜かれた矩形部分の頂点に向かって容易に折り筋が入り、極めて簡易に、かさばらず廃棄しやすい偏平形状に変形される。
【００３８】
以上のとおり、本形態の衛生用品収納体Ｘ１では、一方の側面３０の取出口形成部を引き抜くという一回の操作によって、外箱を偏平形状にしやすい形態にすることができる。
【００３９】
『第２の実施の形態』
次いで、第２の実施の形態Ｘ２を図６〜７を参照しながら説明する。第２の実施の形態もまた、第１の実施の形態と同様にポップアップ式のティシュペーパー製品の例である。
この第２の実施の形態は、第１の実施の形態と補強部材の構成が相違する。なお、第１の実施の形態と同様の構成（外箱１の構造、ティシュペーパーの束５）については記載重複となるため説明は省略する。
なお、図６は、このティシュペーパー製品の内部を上面側から見た図、図７は、外箱解体時の斜視図である。
【００４０】
〔補強部材〕
この第２の形態の補強部材は、特に、図６に示すように、立設壁部６０が外箱の側面３０，３０及び端面４０，４０のそれぞれに平行な面が連接されて環状をなしており、さらに、外箱１及び衛生用品束５に対して自由な状態となっている。
すなわち、本形態の補強部材６は、外箱内においてティシュペーパー束５の側面及び端面を囲むようにして配されている。
また、本形態の補強部材６は、立設壁部６０，６０…のうち、側面３０，３０に対面する位置の特に中央部の下縁に円弧状に欠損された指入れ部３３が形成されている。
【００４１】
他方、本形態における補強部材６においては、特に、立設壁部６０の高さは、側面３０に形成される環状ミシン目線３１で囲まれる範囲の高さよりも、低くなるように形成されているのが望ましい。
また、図示はしないが立設壁部６０，６０…には上下方向に分断用ミシン目線を配し、この分断用のミシン目線で分断することで環状から帯状に変形できるようにしてもよい。
なお、この補強部材６の素材等については、第１の実施における補強部材と同様であり、外箱の上下方向の圧縮に対して上縁及び下縁で支持して強度を高める効果を奏することも同様である。
【００４２】
〔使用方法例〕
次いで、本形態のティシュペーパー製品Ｘ２の使用方法例について説明する。
まず、第１の実施の形態と同様に上面の環状ミシン目線１１を裂開して取出口１２を形成し、スリットからティシュペーパー５０を取り出して使用する。
なお、本形態の補強部材６は、上述のとおり外箱１及びティシュペーパー束６に対して自由であるため、ティシュペーパー５０の取り出しを妨げることはない。
【００４３】
収納されているティシュペーパー５０を使い切ったならば、外箱１の一方の側面３０の円弧状のミシン目線からなる指入れ部３２ａに指を入れ、外箱側面の矩形環状の裂開用ミシン目線で囲まれる開口形成部を側面から引き抜くように引張り、当該裂開用ミシン目線３１を裂開させてこのミシン目線３１で囲まれる部分３１ａを側面の他の部分から分離させる。
【００４４】
次いで、分離した側面と反対の他方の側面３０についても同様にミシン目線３１で囲まれる範囲を分離する。そして、この他方の側面３０におけるミシン目線３１で囲まれる範囲の分離と前後して、外箱内における環状の補強部材６を刳り抜かれた矩形の開口部３１Ａから外箱外へと引張り出す。このとき、立設壁部６０，６０…で囲まれる部分には、ティシュペーパー５０が使い切られて存在しなくなっているため、ティシュペーパー５０によって補強部材６の引き抜きが妨げられることはない。
【００４５】
なお、引き抜きの際には、本形態では立設壁部６０，６０…の側面の対面する位置に指入れ欠損部３３があるため、当該部位に指を掛けて容易に引き抜くことができる。
このとき、上述のとおり好ましく立設壁部６０，６０…の高さをミシン目線３１で囲まれる範囲３１ａの高さより低くしていたり、分断用ミシン目線を配していたりすると、引き抜きが容易となる。ただし、補強部材６として、好ましい素材であるコートボール紙等の厚紙であれば、容易に変形できるため、これらの構成は必須ではない。
【００４６】
かくして、両側面３０，３０からミシン目線で囲まれる環状矩形の開口形成部３１ａ，３１ａが分離され、さらに、補強部材６が内部から引き抜かれた後には、残った外箱１は、図８に示すが如く、側面３０，３０が環状矩形に大きく刳り抜かれた開口部３１Ａ，３１Ａを有する状態となり、上下方向の強度が著しく低く容易に潰れる形態となる。
【００４７】
このような形状となった後には、第１の実施の形態と同様に、例えば、上面２０（又は底面２０）の長手方向中央部分を押し潰すとともに、端面４０，４０を上面１０（又は底面２０）に重なるように押し潰すことで、外箱１の頂点から刳り抜かれた矩形部分に向かって折り筋が入り、かさばらず廃棄しやすい偏平形状に容易に変形される。
【００４８】
以上のとおり、本形態の衛生用品収納体Ｘ２についても、簡易な操作で外箱を偏平形状にしやすい形態にすることができる。
【００４９】
『その他の形態』
他方、本発明の衛生用収納体においては、例えば、内部に収納される衛生用品として、ティシュペーパーのほか、キッチンペーパーや化粧パフ（化粧用コットン）であってもよい。これら化粧パフやキッチンペーパー及びこれらの束については、従来既知の構成のものが問題なく採用できる。
【００５０】
また、外箱１については、図８に示す形態Ｘ３のように、上面１０の一方の長縁から他方の長縁にむかって凸となるように円弧形状に裂開用ミシン目線１１を配し、これを裂開することで円弧形状のヒンジ蓋が形成され、開閉自在な取出口が形成される構造のものが例示できる。このような、ヒンジ蓋となる取出口形成部１１ａを有する外箱１は、特に衛生用品を化粧用パフとする場合に好適である。
【００５１】
さらに、補強部材６としては、図９に示す形態Ｘ４のように、第１の実施の形態における立設壁部６０，６０に加えて、外箱１内において、各側面３０，３０に形成された裂開用ミシン目線３１，３１で囲まれる開口形成部３１ａ，３１ａ同士のみに連結するように架橋されかつ外箱１の底面２０に平行な下側部６２を有するものとすることができる。
【００５２】
この構成の補強部材６を有する収納体Ｘ３では、第１の実施の形態と同様の各側面３０，３０の裂開用ミシン目線３１，３１を裂開させる操作をおこなったときに、補強部材６（立設壁部６０及び下側部６２）と、側面３０から刳り抜かれた部分とで、上面開放の引出し状の部材７が形成される。
【００５３】
従って、かかる補強部材６を有する収納体Ｘ４では、例えば、この引出し状部材７を介して内部の衛生用品の取り出しを行うようにして、外箱１に衛生用品の取出口を形成しないようにしてもよい。もちろん、使用後にはこの引出し状部材７を引き抜けば、残る外箱は第１及び第２の形態の使用方法例に示すように偏平形状にすることができる。
【００５４】
なお、本発明の補強部材６としては、第２の実施の形態における環状の立設壁部６０，６０に下側部６２を加えた形態が例示でき、また、第２の実施の形態において、一部、又は複数箇所が分断されて環状となっていない補強部材が例示できる。
【００５５】
以上、詳述のとおり、本発明の衛生用品収納体は、極めて簡易な操作で使用後に確実に箱体を廃棄しやすい形状にでき、さらには引出し形状にできるなど、利便性が高く幅広い使用形態に対応することができる。
【産業上の利用可能性】
【００５６】
本願発明は、ティシュペーパー、キッチンペーパー、化粧用パフ等の使い捨ての衛生用品を収納した衛生用品収納体に利用可能である。
【図面の簡単な説明】
【００５７】
【図１】第１の実施の形態のティシュペーパー製品の斜視図である。
【図２】第１の実施の形態のティシュペーパー製品の外箱の端面構造を説明するための斜視図である。
【図３】第１の実施の形態のティシュペーパー製品の使用状態の斜視図である。
【図４】ティシュペーパー束を説明するための説明図である。
【図５】第１の実施の形態のティシュペーパー製品の外箱解体時の斜視図である。
【図６】第２の実施の形態のティシュペーパー製品の内部を上面側からみた図である。
【図７】第２の実施の形態のティシュペーパー製品の外箱解体時の斜視図である。
【図８】ヒンジ蓋となる取出口形成部を有する外箱の例を示す斜視図である。
【図９】本発明の他の形態の衛生用品収納体を説明するための斜視図である。
【符号の説明】
【００５８】
Ｘ１〜Ｘ４…衛生用品収納体、１…外箱、１Ａ…紙箱、１Ｂ…シート材、５…ティシュペーパー束、６…補強部材、７…引き出し状部分、１０…上面、１０Ｅ…上面端面片、１１…裂開用ミシン目線、１１ａ…裂開用ミシン目線で囲まれる範囲、１２…取出し口、２０…底面、２０Ｅ…底面端面片、３０…側面、３０Ｅ…側面端面片、４０…端面、１３，２３，４３…稜線，３１…裂開用ミシン目線、３１ａ…開口形成部、３１Ａ…開口部、３２…裂開用ミシン目線、３２ａ，３３…指入れ部、Ｓ…スリット、６０…立設壁部、６１…接着部、６２…下側部。
【図１】
2010052778.tif 000003
【図２】
2010052778.tif 000004
【図３】
2010052778.tif 000005
【図４】
2010052778.tif 000006
【図５】
2010052778.tif 000007
【図６】
2010052778.tif 000008
【図７】
2010052778.tif 000009
【図８】
2010052778.tif 000010
【図９】
2010052778.tif 000011